(57)【特許請求の範囲】
【請求項１】
乗かごと、この乗かごに設けられたドアと、このドアに向かって配置され、前記乗かご内を撮影するカメラと、このカメラによって撮影された映像からサムネイル画像を作成するサムネイル画像作成手段と、このサムネイル画像作成手段によって作成された前記サムネイル画像を記録する画像記録手段と、この画像記録手段によって記録された前記サムネイル画像を再生して表示する表示手段とを備えたエレベーターの監視画像記録装置において、
前記サムネイル画像に乗客が映し出されているかどうかを示す特定の情報を作成する情報作成手段と、
この情報作成手段によって作成された前記特定の情報を前記サムネイル画像に付加する情報付加手段と、
この情報付加手段によって付加された前記特定の情報を参照し、前記画像記録手段に記録された前記サムネイル画像のうち乗客が映し出されている場合の前記サムネイル画像を検索して前記表示手段に表示させる画像検索手段とを備えたことを特徴とするエレベーターの監視画像記録装置。
【請求項２】
請求項１に記載のエレベーターの監視画像記録装置において、
前記ドアに設けられ、前記ドアが開いたことを検知して前記ドアの開信号を前記情報作成手段に送信するドア開信号検知手段を備え、
前記情報作成手段は、
前記ドア開信号検知手段から受信した前記ドアの開信号と、
少なくとも、前記ドアが開いてから所定の時間が経過した時点における前記カメラに撮影された静止画像に、前記乗かご内が空の状態における前記カメラに撮影された画像を基準として差分して求めた差分画像及びこの差分画像の画素値、前記ドアが開いてから所定の時間が経過した時点における前記カメラによって撮影された静止画像の圧縮後のサイズ、前記ドアが開いてから所定の時間が経過した時点における前記乗かご内の積載重量を測定する秤装置の出力信号、前記ドアが開いてから所定の時間が経過した時点における前記ドアを乗客が通過した際に出力される安全装置の出力信号、及び前記ドアが開いてから所定の時間が経過した時点における前記乗かご内に乗客が乗車しているかどうかを検知するパッシブセンサー又はアクティブセンサーの出力信号のうちいずれか１つとに基づいて前記特定の情報を作成することを特徴とするエレベーターの監視画像記録装置。
【発明の詳細な説明】
【技術分野】
【０００１】
本発明は、乗かごに設けられたカメラが撮影した映像を記録するエレベーターの監視画像記録装置に係り、特に記録された映像を再生して乗客の行動を確認するのに好適なエレベーターの監視画像記録装置に関する。
【背景技術】
【０００２】
一般的にエレベーターには、利用中に発生した乗客間のトラブルや迷惑行為、及びエレベーターに備えられた機器に対する物損行為等の発生状況を記録することを目的として、乗かご内の乗客の利用状況を撮影して記録するエレベーターの監視画像記録装置が設けられている。
【０００３】
また、上述したような乗客間のトラブルやエレベーター機器に対する物損行為等が発生した場合には、当該エレベーターを管理する設備管理会社やエレベーターの監視画像記録装置のメンテナンスを行うサービス会社等が、依頼を受けることによってエレベーターの監視画像記録装置の操作や画像記録メディアの再生を行い、再生された画像から上述の乗客間のトラブルや当該物損行為等が発生した際の状況を把握したり、あるいは行為者を特定する検索作業を行うことがある。
【０００４】
ここで、上述したエレベーターの監視画像記録装置は、例えば乗かご内に設けられたカメラと、このカメラによって撮影された映像からサムネイル画像を作成するサムネイル画像作成手段と、このサムネイル画像作成手段によって作成されたサムネイル画像を記録する画像記録手段と、この画像記録手段によって記録されたサムネイル画像を再生して表示する表示手段とを備えている。従って、当該エレベーターを管理する設備管理会社やエレベーターの監視画像記録装置のメンテナンスを行うサービス会社等は、検索作業において表示手段に表示されたサムネイル画像の中から上述の乗客間のトラブルや当該物損行為等が発生した時間帯の画像を選択することにより、乗客間のトラブルや当該物損行為等が発生した状況の映像を容易に検索して確認できるようになっている。
【０００５】
このようなサムネイル画像を記録して再生する装置の従来技術の１つとして、動画像データと静止画像データとが記録された記録媒体から画像データを再生する再生手段と、この再生手段により再生された互いに異なる複数画面分の静止画像データ、すなわちサムネイル画像を記憶する記憶手段と、この記憶手段に記憶されたサムネイル画像を選択的に読みだすメモリ制御手段とを備えた再生装置が知られている（例えば、特許文献１参照）。
【０００６】
また、各種操作を入力するための入力手段による録画時にタイマー部によって時間をカウントすると共に、少なくとも入力手段による録画終了動作と連動して録画開始時から任意の間隔で記録媒体に記憶された映像データからサムネイル用の静止画を自動的に抽出し、これを記憶手段にサムネイルデータとして時間情報と共に記憶させるサムネイル画像作成部と、入力手段の操作と連動して記憶手段に記憶したサムネイルデータを呼び出してタイマー部によって時間情報が付加された複数のサムネイル画像をモニタ部に一覧表示するためのサムネイル画像表示処理部とを設け、表示されたサムネイル画像の一つを選択すると、そのサムネイル画像の場面から再生が開始されるようにした記録再生装置も知られている（例えば、特許文献２参照）。
【０００７】
さらに、時間範囲指定手段によって指定された検索時間範囲内に該当する符号化画像データ及び時刻情報を記録手段から読み出し、これら読み出された符号化画像データを復号手段で復号させて、これら復号画像データについて領域指定手段によって指定されたブロック内での動き検出を行う動き検出手段と、動き検出がされた復号画像データからサムネイル画像を生成すると共に、復号画像データに対応する時刻情報と生成されたサムネイル画像とのうち少なくとも一方をＧＵＩ画像に変換する画像処理手段と、変換されたＧＵＩ画像をＧＵＩ画像一覧にして出力する出力制御手段と、出力されたＧＵＩ画像一覧に従い指定された時刻情報に基づき、この時刻情報の時刻前後の符号化画像データを記録手段から読み出して復号手段で復号させ、復号画像データを再生させる再生制御手段とを備え、符号化画像データの中から動きのある画像を抽出して再生させるようにした画像再生装置も知られている（例えば、特許文献３参照）。
【先行技術文献】
【特許文献】
【０００８】
【特許文献１】特開平９−３１２８２８号公報
【特許文献２】特開２００７−１１６４７２号公報
【特許文献３】特開２００９−１５２８３４号公報
【発明の概要】
【発明が解決しようとする課題】
【０００９】
しかし、上述した特許文献１に開示された従来技術の再生装置や特許文献２に開示された従来技術の記録再生装置では、例えば乗客間のトラブルやエレベーター機器に対する物損行為等が発生した状況を当該再生装置あるいは当該記録再生装置に記録された映像から調べて確認する場合には、作業者は表示される多くのサムネイル画像の中から該当する時間帯の画像を選択し、再生された映像を見て当該状況を探し出す必要がある。このとき、再生される映像には乗かご内に乗客が乗車していない場面も含まれているので、作業者は選択した画像の場面から再生が開始されても再生された映像に乗客が映し出されるまで映像を見続けたり、あるいは早送り等の作業を行わなければならず、時間がかかる問題がある。
【００１０】
また、上述した特許文献３に開示された従来技術の画像再生装置では、符号化画像データの中から動きのある画像を抽出して再生させることにより、乗かごに乗降する乗客の動きによって映像に乗客が映った場面から再生を開始することができると考えられる。しかし、乗かごに設けられたカメラで撮影される映像には、乗かごに乗客が乗車していない状態でドアが開閉動作する映像も含まれているので、上述の画像再生装置の動き検出手段によってサムネイル画像を生成した場合、ドアの開閉動作だけが映し出されて乗客が映し出されていないサムネイル画像も一緒に表示される。そのため、作業者は表示されたこれらのサムネイル画像の中から乗客が映った場面から再生を開始する画像を探して選択しなければならず、検索作業が煩雑となっている。
【００１１】
本発明は、このような従来技術の実情からなされたもので、その目的は、乗かご内の乗客の利用状況を画像記録手段に記録された映像の中から容易に検索して確認することができるエレベーターの監視画像記録装置を提供することにある。
【課題を解決するための手段】
【００１２】
上記の目的を達成するために、本発明のエレベーターの監視画像記録装置は、乗かごと、この乗かごに設けられたドアと、このドアに向かって配置され、前記乗かご内を撮影するカメラと、このカメラによって撮影された映像からサムネイル画像を作成するサムネイル画像作成手段と、このサムネイル画像作成手段によって作成された前記サムネイル画像を記録する画像記録手段と、この画像記録手段によって記録された前記サムネイル画像を再生して表示する表示手段とを備えたエレベーターの監視画像記録装置において、前記サムネイル画像に乗客が映し出されているかどうかを示す特定の情報を作成する情報作成手段と、この情報作成手段によって作成された前記特定の情報を前記サムネイル画像に付加する情報付加手段と、この情報付加手段によって付加された前記特定の情報を参照し、前記画像記録手段に記録された前記サムネイル画像のうち乗客が映し出されている場合の前記サムネイル画像を検索して前記表示手段に表示させる画像検索手段とを備えたことを特徴としている。
【００１３】
このように構成した本発明は、乗かご内のカメラに撮影された映像から乗かご内の乗客の利用状況を調査する場合には、作業者は、表示手段によって表示されたサムネイル画像を選択することにより、画像記録手段に記録された映像のうち選択したサムネイル画像の場面から再生し、再生された映像を見て確認する。ここで、サムネイル画像作成手段によって作成されるサムネイル画像には、情報作成手段が作成した特定の情報が情報付加手段によって付加されているので、サムネイル画像に乗客が映っているかどうかを迅速に判別することができる。従って、画像検索手段が情報付加手段によって付加された特定の情報を参照し、画像記録手段に記録されたサムネイル画像のうち乗客が映し出されたサムネイル画像を検索して表示手段に表示させることにより、乗客が映っていない場合のサムネイル画像、例えばドアの開閉動作の場面だけが映ったサムネイル画像を省くことができる。これにより、作業者は、表示手段に表示された乗客が映し出された場合のサムネイル画像の中だけから選択して再生すれば良いので、乗かご内の乗客の利用状況を画像記録手段に記録された映像の中から容易に検索して確認することができる。
【００１４】
また、本発明に係るエレベーターの監視画像記録装置は、前記発明において、前記ドアに設けられ、前記ドアが開いたことを検知して前記ドアの開信号を前記情報作成手段に送信するドア開信号検知手段を備え、前記情報作成手段は、前記ドア開信号検知手段から受信した前記ドアの開信号と、少なくとも、前記ドアが開いてから所定の時間が経過した時点における前記カメラに撮影された静止画像に、前記乗かご内が空の状態における前記カメラに撮影された画像を基準として差分して求めた差分画像及びこの差分画像の画素値、前記ドアが開いてから所定の時間が経過した時点における前記カメラによって撮影された静止画像の圧縮後のサイズ、前記ドアが開いてから所定の時間が経過した時点における前記乗かご内の積載重量を測定する秤装置の出力信号、前記ドアが開いてから所定の時間が経過した時点における前記ドアを乗客が通過した際に出力される安全装置の出力信号、及び前記ドアが開いてから所定の時間が経過した時点における前記乗かご内に乗客が乗車しているかどうかを検知するパッシブセンサー又はアクティブセンサーの出力信号のうちいずれか１つとに基づいて前記特定の情報を作成することを特徴としている。
【００１５】
このように構成した本発明は、情報作成手段は、ドア開信号検知手段から受信したドアの開信号と、例えばドアが開いてから所定の時間が経過した時点におけるカメラに撮影された静止画像に、乗かご内が空の状態におけるカメラに撮影された画像を基準として差分して求めた差分画像及びこの差分画像の画素値とに基づいて特定の情報を作成することにより、差分画像の画素値が所定の値以上であれば、サムネイル画像に乗客が映っていると判別でき、差分画像の画素値が所定の値未満であれば、サムネイル画像に乗客が映っていないと判別できる。
【００１６】
また、情報作成手段は、ドア開信号検知手段から受信したドアの開信号と、例えば前記ドアが開いてから所定の時間が経過した時点における前記カメラによって撮影された静止画像の圧縮後のサイズとに基づいて特定の情報を作成することにより、静止画像の圧縮後のサイズが所定の値以上であれば、サムネイル画像に乗客が映っていると判別でき、静止画像の圧縮後のサイズが所定の値未満であれば、サムネイル画像に乗客が映っていないと判別できる。
【００１７】
さらに、情報作成手段は、ドア開信号検知手段から受信したドアの開信号と、例えばドアが開いてから所定の時間が経過した時点における乗かご内の積載重量を測定する秤装置の出力信号とに基づいて特定の情報を作成することにより、秤装置から信号を受信した場合に、サムネイル画像に乗客が映っていると判別でき、秤装置から信号を受信しなかった場合に、サムネイル画像に乗客が映っていないと判別できる。
【００１８】
また、情報作成手段は、ドア開信号検知手段から受信したドアの開信号と、例えばドアが開いてから所定の時間が経過した時点におけるドアを乗客が通過した際に出力される安全装置の出力信号とに基づいて特定の情報を作成することにより、安全装置から信号を受信した場合に、サムネイル画像に乗客が映っていると判別でき、安全装置から信号を受信しなかった場合に、サムネイル画像に乗客が映っていないと判別できる。
【００１９】
また、情報作成手段は、ドア開信号検知手段から受信したドアの開信号と、例えばドアが開いてから所定の時間が経過した時点における乗かご内に乗客が乗車しているかどうかを検知するパッシブセンサー又はアクティブセンサーの出力信号とに基づいて特定の情報を作成することにより、パッシブセンサー又はアクティブセンサーから信号を受信した場合に、サムネイル画像に乗客が映っていると判別でき、パッシブセンサー又はアクティブセンサーから信号を受信しなかった場合に、サムネイル画像に乗客が映っていないと判別できる。
【発明の効果】
【００２０】
本発明のエレベーターの監視画像記録装置は、乗かごに設けられたドアに向かって配置され、乗かご内を撮影するカメラと、このカメラによって撮影された映像からサムネイル画像を作成するサムネイル画像作成手段と、このサムネイル画像作成手段によって作成されたサムネイル画像を記録する画像記録手段と、この画像記録手段によって記録されたサムネイル画像を再生して表示する表示手段とを備えている。そして、本発明は、サムネイル画像に乗客が映し出されているかどうかを示す特定の情報を作成する情報作成手段と、この情報作成手段によって作成された特定の情報をサムネイル画像に付加する情報付加手段と、この情報付加手段によって付加された特定の情報を参照し、画像記録手段に記録されたサムネイル画像のうち乗客が映し出されている場合のサムネイル画像を検索して表示手段に表示させる画像検索手段とを備えていることにより、この画像検索手段が、情報作成手段及び情報付加手段によってサムネイル画像に付加された特定の情報に基づいて乗客が映し出されている場合のサムネイル画像を検索して表示手段に表示させるので、乗客が映っていない場合のサムネイル画像、例えばドアの開閉動作の場面だけが映ったサムネイル画像を省略することができる。従って、作業者は、画像検索手段によって表示手段に表示された乗客が映し出されている場合のサムネイル画像の中だけから選択して再生すれば良いので、乗かご内の乗客の利用状況を画像記録手段に記録された映像の中から容易に検索して確認することができる。これにより、カメラによって撮影された映像の確認作業の時間を短縮することができ、確認作業における利便性及び効率性を従来よりも向上させることができる。
【図面の簡単な説明】
【００２１】
【図１】本発明に係るエレベーターの監視画像記録装置の一実施形態の構成を示す図である。
【図２】図１に示す本実施形態に備えられる乗かごに乗車する乗客の行動の推移を説明する図である。
【図３】図１に示す本実施形態に備えられる画像記録手段に記録されたサムネイル画像、開始時間の情報、動画像のデータ及び特定の情報を説明する図である。
【図４】本実施形態の動作を説明するフローチャートであり、図１に示す画像記録手段に開始時間の情報、及び特定の情報が付加されたサムネイル画像が記録されるまでの動作を説明するフローチャートである。
【図５】本実施形態の動作を説明するフローチャートであり、図１に示す画像検索手段の動作を説明するフローチャートである。
【図６】図１に示す本実施形態に備えられる画像表示手段に表示されるサムネイル画像の一例を示す図である。
【発明を実施するための形態】
【００２２】
以下、本発明に係るエレベーターの監視画像記録装置を実施するための形態を図に基づいて説明する。
【００２３】
本発明に係るエレベーターの監視画像記録装置の一実施形態は、図１に示すように乗かご１と、この乗かご１に設けられたドア１１と、このドア１１に向かって配置され、乗かご１内を撮影するカメラ２とを備えている。また、本実施形態は、カメラ２によって撮影された映像を動画像および静止画像として取り込む画像取り込み手段３３と、この画像取り込み手段３３によって取り込まれた静止画像からサムネイル画像を作成するサムネイル画像作成手段３２と、画像取り込み手段３３によって取り込まれた動画像とサムネイル画像作成手段３２によって作成されたサムネイル画像とを記録する画像記録手段３４と、画像記録手段３４に記録された動画像およびサムネイル画像を復号する画像再生手段３６と、画像再生手段３６によって復号された動画像およびサムネイル画像を表示する画像表示手段４とを備えている。
【００２４】
そして、本実施形態は、サムネイル画像に乗客が映し出されているかどうかを示す特定の情報を作成する図示しない情報作成手段と、この情報作成手段によって作成された特定の情報をサムネイル画像に付加する情報付加手段３１と、この情報付加手段３１によって付加された特定の情報を参照し、画像記録手段３４に記録されたサムネイル画像のうち乗客が映し出されている場合のサムネイル画像を検索して画像表示手段４に表示させる画像検索手段３５とを備えている。なお、本実施形態では、上述の情報作成手段は情報付加手段３１に含まれている。
【００２５】
また、本実施形態は、ドア１１に設けられ、ドア１１が開いたことを検知してドア１１の開信号を情報付加手段３１に含まれる情報作成手段に送信するドア開信号検知手段、例えば乗かご１のドア１１の上部に設けられ、ドア１１の開閉動作に応じて動作してドア１１の開閉信号を送信するドアスイッチ１２を備えている。そして、このドアスイッチ１２によって送信されるドア１１の開閉信号は、情報付加手段３１に含まれる情報作成手段に送信されるようになっている。さらに、本実施形態は、図示しないキーボードやマウスで構成され、作業者が画像検索手段３５に対して画像の検索や再生等の指令を送信する操作手段５を備えている。
【００２６】
具体的には、情報付加手段３１は、ドアスイッチ１２からドア１１の開閉信号を参照した場合に、画像取り込み手段３３に対してカメラ２によって撮影された映像、すなわち静止画像及び動画像の取り込みを開始するように指示すると共に、画像記録手段３４に対して動画像の記録を行うように指示する。また、情報付加手段３１は、ドアスイッチ１２からドア１１の開信号を受信した場合に、サムネイル画像作成手段３２に対してドア１１が開いた時刻から所定の時間が経過した後にサムネイル画像を作成するように指示すると共に、作成されたサムネイル画像に乗客が映し出されているかどうかを示す特定の情報を付加するように指示する。
【００２７】
画像取り込み手段３３は、情報付加手段３１の指示を受けてカメラ２によって撮影された動画像、及びこの動画像が開始された開始時間の情報を画像記録手段３４へ送信すると共に、カメラ２によって撮影された静止画像をサムネイル画像作成手段３２へ送信する。
【００２８】
サムネイル画像作成手段３２は、情報付加手段３１の指示を受けて画像取り込み手段３３から静止画像を取り込み、取り込んだ静止画像からサムネイル画像を作成する。また、情報付加手段３１に含まれる情報作成手段は、作成されたサムネイル画像に乗客が映し出されているかどうかを示す特定の情報を作成する。そして、情報付加手段３１はサムネイル画像作成手段３２に対して作成されたサムネイル画像に特定の情報の付加を指示し、サムネイル画像作成手段３２は特定の情報が付加されたサムネイル画像を画像記録手段３４へ送信する。
【００２９】
画像記録手段３４は、画像取り込み手段３３から受信した動画像及び開始時間の情報を記録すると共に、サムネイル画像作成手段３２から受信した特定の情報が付加されたサムネイル画像を記録する。なお、これらの記録は、画像記録手段３４の図示しないハードディスク、光ディスク、あるいはフラッシュメモリ等の記録媒体に保存されるようになっている。
【００３０】
画像検索手段３５は、例えば作業者が指定日時を操作手段５によって入力することにより、指定日時以降における乗かご１内の乗客が撮影されている動画像のサムネイル画像を、画像記録手段３４に記録されている動画像の開始時間の情報、及び特定の情報が付加されたサムネイル画像に基づいて検索して画像表示手段４に表示させたり、画像再生手段３６に対して作業者が操作手段５で選択したサムネイル画像に関連する動画像の再生を指示する。また、画像再生手段３６は、画像検索手段３５の指示を受けて画像記録手段３４に記録されている動画像を再生し、再生した動画像を画像表示手段４に表示させる。
【００３１】
ここで、情報付加手段３１に含まれる情報作成手段は、ドアスイッチ１２から受信したドア１１の開信号と、ドア１１が開いてから所定の時間が経過した時点におけるカメラ２に撮影された静止画像に、乗かご１内が空の状態におけるカメラ２に撮影された画像を基準として差分して求めた差分画像及びこの差分画像の画素値とに基づいて特定の情報を作成するようになっている。
【００３２】
次に、本実施形態に備えられるドアスイッチ１２の開閉動作の状況とカメラ２によって撮影される撮影画像との関連を図２に基づいて説明する。
【００３３】
一般的にエレベーターを利用する乗客は、乗かご１が到着して乗かご１のドア１１が開くと、図２に示す画像Ｐ３、Ｐ４のように乗かご１内に乗車し、画像Ｐ５のように乗かご１内において立ち位置や他の乗客との間隔を調整しながらドア１１側を向いてほぼ静止して立つ動きを行うことが多い。このように、カメラ２に撮影される映像から乗客の顔や服装等によってエレベーターを利用する乗客を特定することができるタイミングは、図２に示すドア１１が開き始めた時間Ｔ３から所定の時間、例えば待機時限Ｔｄ後の時間Ｔ４が望ましい。この待機時限Ｔｄは、乗かご１におけるドア１１の開閉所要時間や乗客の利用環境（交通機関、商業設備、病院、福祉施設等）によって乗客の移動速度が異なるので、エレベーターの使用状況に応じて設定する必要がある。
【００３４】
次に、本実施形態に備えられる画像記録手段３４に記録されている動画像、サムネイル画像、開始時間の情報、及び情報作成手段によって作成される特定の情報の各関係を図３に基づいて説明する。
【００３５】
図３に示すように、画像記録手段３４は、例えば動画像が記録された開始時間の情報Ｔ１、Ｔ２、Ｔ４、Ｔ６、動画像のデータＶ１、Ｖ２、Ｖ４、Ｖ６、サムネイル画像Ｐ１、Ｐ２、Ｐ４、Ｐ６、特定の情報Ｊ１、Ｊ２、Ｊ４、Ｊ６を時系列的に記録しており、作業者が操作手段５で指定日時を入力することによってこれらの各データを読み出すことができる。
【００３６】
動画像のデータＶ１、Ｖ２、Ｖ４、Ｖ６は、カメラ２が開始時間の情報Ｔ１、Ｔ２、Ｔ４、Ｔ６から予め設定した最大録画時間Ｔｒが経過するまでそれぞれ撮影した動画像を符号化及び圧縮して作成したデータである。また、サムネイル画像Ｐ１、Ｐ２、Ｐ４、Ｐ６は、カメラ２が開始時間の情報Ｔ１、Ｔ２、Ｔ４、Ｔ６から待機時限Ｔｄだけ時間が経過した時点においてそれぞれ撮影した静止画像を縮小した画像である。さらに、特定の情報Ｊ１、Ｊ２、Ｊ４、Ｊ６は、乗かご１に乗客がいない状態でカメラ２によって撮影された基準画像と、上述した動画像の開始時間の情報Ｔ１、Ｔ２、Ｔ４、Ｔ６から待機時限Ｔｄだけ時間が経過した時点における静止画像との差分画像Ｄ１、Ｄ２、Ｄ４、Ｄ６から算出された画素値である。
【００３７】
ここで、図３に示すＰ１、Ｐ２のように乗客が映し出されていないサムネイル画像は基準画像とほぼ一致するので、差分画像Ｄ１、Ｄ２は全体の画素値が０〜４程度の画像となっている。差分画像が完全に０とならない原因は、照明のちらつきや乗かご１内のインジケーターの点滅等によることが挙げられる。また、情報付加手段３１に含まれる情報作成手段は、差分画像Ｄ１、Ｄ２、Ｄ４、Ｄ６から画素値を算出することによってサムネイル画像に乗客が映し出されているかどうかを示す特定の情報を作成する。
【００３８】
例えば、特定の情報Ｊ１、Ｊ２、Ｊ４、Ｊ６は、差分画像Ｄ１、Ｄ２、Ｄ４、Ｄ６に存在する画素値が５以上の画素値を選択することとし、乗客が映し出されていない特定の情報Ｊ１、Ｊ２、すなわち差分画像Ｄ１、Ｄ２の画素値はそれぞれ０となっており、乗客が映し出された特定の情報Ｊ４、Ｊ６、すなわち差分画像Ｄ４、Ｄ６の画素値は、それぞれ８５、７８となっている。そして、これらの特定の情報Ｊ１、Ｊ２、Ｊ４、Ｊ６が情報付加手段３１によってサムネイル画像Ｐ１、Ｐ２、Ｐ４、Ｐ６に付加され、画像記録手段３４に記録される。
【００３９】
次に、本実施形態に備えられる画像記録手段３４に開始時間の情報、及び特定の情報がそれぞれ付加されたサムネイル画像が記録されるまでの動作を図４に基づいて説明する。
【００４０】
本実施形態は、装置の起動直後や作業者の操作手段５の操作における録画開始の指示操作によってカメラ２が撮影した映像の記録を開始する。まず、乗かご１のドア１１が開くと、ドアスイッチ１２がドア１１の開信号を情報付加手段３１へ送信する。そして、情報付加手段３１がドアスイッチ１２からドア１１の開信号を受信し（Ｓ１）、ドア１１の開閉信号を監視してドア１１が開いたことを判定する（Ｓ２）。すなわち、Ｓ１において乗かご１が走行しておらず、ドア１１が開いていない場合には、ドアスイッチ１２からドア１１の開信号が送信されないので、Ｓ２において情報付加手段３１はドア１１が開いていないと判定する。この場合、Ｓ１及びＳ２の動作を繰り返すので、画像記録手段３４がカメラ２によって撮影された映像を記録せず、画像記録手段３４に記録される画像の容量を節約することができる。
【００４１】
一方、Ｓ１において乗客がエレベーターの乗場に設けられた図示しない呼び釦を操作することにより、乗かご１が当該乗場に到着してドア１１が開いた場合には、ドアスイッチ１２からドア１１の開信号が送信されるので、Ｓ２において情報付加手段３１はドア１１が開いていると判定する。そして、情報付加手段３１は、画像取り込み手段３３に対してカメラ２によって撮影された静止画像及び動画像の取り込みを指示すると共に、画像記録手段３４に対して動画像のデータ、及び開始時間の情報を記録するように指示する（Ｓ３）。
【００４２】
次に、情報付加手段３１は、待機時限Ｔｄが設定（０秒以上）されているかどうかを判別し（Ｓ４）、待機時限Ｔｄが設定されていると判別した場合、待機時限Ｔｄの間待機する。そして、情報付加手段３１は、待機時限Ｔｄの間待機した場合、あるいはＳ４において待機時限Ｔｄが設定されていないと判別した場合、サムネイル画像作成手段３２に対してサムネイル画像を作成するように指示する。サムネイル画像作成手段３２は、画像取り込み手段３３から静止画像を１枚取り込み、取り込んだ静止画像を所定の画像サイズに縮小・画像圧縮をしてサムネイル画像を作成する（Ｓ６）。
【００４３】
次に、情報付加手段３１は、現在の動画像の開始時間の情報から上述の最大録画時間Ｔｒが経過するまで待機し（Ｓ７）、最大録画時間Ｔｒが経過すると、情報付加手段３１は、画像記録手段３４に対して動画像の記録を停止するように指示する（Ｓ８）。そして、サムネイル画像作成手段３２の情報作成手段は、Ｓ６において画像取り込み手段３３から取り込んだ静止画像と、予め記憶している上述の基準画像とを使用して差分画像を作成し、作成した差分画像における画素値が５以上の画素値を選択して特定の情報を作成する（Ｓ９）。なお、上述の最大録画時間Ｔｒは、エレベーターの最大連続運転時間等を参考として予め設定されている。
【００４４】
次に、情報付加手段３１は、Ｓ６においてサムネイル画像作成手段３２によって作成されたサムネイル画像に、Ｓ９において情報作成手段によって作成された特定の情報を図３に示すように付加し、画像記録手段３４に対して特定の情報が付加されたサムネイル画像を記録するように指示し、画像記録手段３４が特定の情報が付加されたサムネイル画像を記録する（Ｓ１０）。このように、画像記録手段３４は、乗かご１のドア１１の開動作毎にカメラ２によって撮影された動画像、開始時間の情報、及び特定の情報が付加されたサムネイル画像を記録する。
【００４５】
次に、本実施形態に備えられる画像検索手段３５の動作を図５に基づいて説明する。
【００４６】
作業者が操作手段５を操作して検索開始日時を入力すると（Ｓ１２）、画像検索手段３５は、操作手段５に入力された検索開始日時と画像記録手段３４に記録された動画像の開始時間の情報とを比較し、検索開始日時以降に相当する動画像を特定する。そして、画像検索手段３５は、特定した動画像に関する特定の情報が付加されたサムネイル画像を画像記録手段３４から読み出す（Ｓ１３）。
【００４７】
次に、画像検索手段３５は、サムネイル画像に付加された特定の情報を参照してサムネイル画像に乗客が映し出されているかどうかを判別する（Ｓ１４）。ここで、特定の情報においてサムネイル画像に乗客が映し出されているかどうかについての判断基準を５０以上と設定すると、例えば図３に示す特定の情報が設定されていた場合には、特定の情報Ｊ１、Ｊ２は５０未満であるので、画像検索手段３５はサムネイル画像に乗客が映し出されていないと判別する（Ｓ１５）。一方、特定の情報Ｊ４、Ｊ６は５０以上であるので、画像検索手段３５はサムネイル画像に乗客が映し出されていると判別する（Ｓ１５）。
【００４８】
Ｓ１５において画像検索手段１５がサムネイル画像に乗客が映し出されていると判別した場合には、画像検索手段１５はサムネイル画像Ｐ４、Ｐ６を画像表示手段４に表示させ（Ｓ１６）、画像表示手段４の表示可能な枚数のサムネイル画像を表示するまでＳ１３〜Ｓ１６の動作を繰り返す。例えば、図６に示すように画像表示手段４の表示可能な枚数を３枚に設定すると、画像表示手段４はサムネイル画像Ｐ４、Ｐ６の２枚を表示し、残りの１枚が表示されるまでＳ１３〜Ｓ１６の動作が繰り返される。
【００４９】
Ｓ１６において画像表示手段４に残りの１枚のサムネイル画像Ｐ７が表示されると（Ｓ１７）、画像検索手段３５はサムネイル画像の検索を終了し、図６に示すように画像表示手段４がサムネイル画像Ｐ４、Ｐ６、Ｐ７と検索画面を表示して画像検索手段３５の検索動作を終了する（Ｓ１８）。その後、画像検索手段３５は、画像再生手段３６に対して画像表示手段４に表示された検索画面のサムネイル画像Ｐ４、Ｐ６、Ｐ７の動画像の再生Ｂ３、Ｂ５あるいは再生停止Ｂ４を実行させる指示を行ったり、あるいは画像表示手段４に対して前の検索画面Ｂ１又は次の検索画面Ｂ２を表示させる指示をする。
【００５０】
このように構成した本実施形態によれば、乗かご１内のカメラ２に撮影された映像から乗かご１内の乗客の利用状況を調査する場合には、作業者は、図６に示すように画像表示手段４によって表示されたサムネイル画像Ｐ４、Ｐ６、Ｐ７を選択することにより、画像記録手段３４に記録された映像のうち選択したサムネイル画像Ｐ４、Ｐ６、Ｐ７の場面から再生し、再生された映像を見て確認する。ここで、図３に示すようにサムネイル画像作成手段３２によって作成されるサムネイル画像Ｐ１、Ｐ２、Ｐ４、Ｐ６、Ｐ７には、サムネイル画像作成手段３２に含まれる情報作成手段が作成した特定の情報Ｊ１、Ｊ２、Ｊ４、Ｊ６、Ｊ７（Ｊ７は図示されていない）が情報付加手段３１によって付加されるので、画像検索手段３５がサムネイル画像Ｐ１、Ｐ２、Ｐ４、Ｐ６、Ｐ７に乗客が映っているかどうかを迅速に判別することができる。
【００５１】
従って、画像検索手段３５が情報付加手段３１によって付加された特定の情報Ｊ１、Ｊ２、Ｊ４、Ｊ６、Ｊ７を参照し、画像記録手段３４に記録されたサムネイル画像Ｐ１、Ｐ２、Ｐ４、Ｐ６、Ｐ７のうち乗客が映し出されたサムネイル画像Ｐ４、Ｐ６、Ｐ７を検索して画像表示手段４に表示させることにより、乗客が映っていない場合のサムネイル画像Ｐ１、Ｐ２を省くことができる。これにより、作業者は、図６に示すように画像表示手段４に表示された乗客が映し出された場合のサムネイル画像Ｐ４、Ｐ６、Ｐ７の中だけから選択して再生すれば良いので、乗かご１内の乗客の利用状況を画像記録手段３４に記録された映像の中から容易に検索して確認することができる。これにより、カメラ２によって撮影された映像の確認作業の時間を短縮することができ、確認作業における利便性及び効率性を向上させることができる。
【００５２】
また、本実施形態は、情報作成手段は、図４に示すＳ９においてドアスイッチ１２から受信したドア１１の開信号と、ドア１１が開いてから所定の時間、すなわち待機時限Ｔｄが経過した時点におけるカメラ２に撮影された静止画像に、乗かご１内が空の状態におけるカメラ２に撮影された画像を基準として差分して求めた差分画像及びこの差分画像の画素値とに基づいて特定の情報を作成するようにしているので、図５に示すＳ１５において画像検索手段３５は、差分画像の画素値が所定の値、すなわち５０以上であれば、サムネイル画像に乗客が映っていると迅速に判別でき、差分画像の画素値が所定の値、すなわち５０未満であれば、サムネイル画像に乗客が映っていないと迅速に判別できる。これにより、画像検索手段３５の検索処理能力を高めることができる。
【００５３】
なお、本実施形態は、情報作成手段は、ドアスイッチ１２から受信したドア１１の開信号と、ドア１１が開いてから所定の時間、すなわち待機時限Ｔｄが経過した時点におけるカメラ２に撮影された静止画像に、乗かご１内が空の状態におけるカメラ２に撮影された画像を基準として差分して求めた差分画像及びこの差分画像の画素値とに基づいて特定の情報を作成するようにした場合について説明したが、この場合に限らず、情報作成手段は、ドアスイッチ１２から受信したドア１１の開信号と、ドア１１が開いてから所定の時間が経過した時点におけるカメラ２によって撮影された静止画像の圧縮後のサイズとに基づいて特定の情報を作成するようにしても良い。例えば、図４に示すＳ９において作成される特定の情報は、サムネイル画像をＪＰＥＧ画像圧縮で画像圧縮した際の圧縮後のデータサイズが使用されることとし、情報付加手段３１は、乗客がエレベーターを利用していない状況のサムネイル画像をＪＰＥＧ画像圧縮で画像圧縮した画像のデータサイズを越えているかどうかを、サムネイル画像に乗客が映し出されているかどうかの判断基準として判別するようにする。この場合も上述したのと同様の効果を得ることができる。
【００５４】
また、本実施形態は、情報作成手段は、ドアスイッチ１２から受信したドア１１の開信号と、ドア１１が開いてから所定の時間が経過した時点における乗かご１内の積載重量を測定する秤装置の出力信号とに基づいて特定の情報を作成するようにしても良い。例えば、図４に示すＳ９において作成される特定の情報は、Ｓ６におけるサムネイル画像作成時に情報付加手段３１が取り込んだ乗かご１内の秤装置の出力信号値が使用されることとし、情報付加手段３１は、乗かご１が空の状態における秤装置の出力信号値を越えているかどうかを、サムネイル画像に乗客が映し出されているかどうかの判断基準として判別するようにする。この場合も上述したのと同様の効果を得ることができる。
【００５５】
また、本実施形態は、情報作成手段は、ドアスイッチ１２から受信したドア１１の開信号と、ドア１１が開いてから所定の時間が経過した時点におけるドア１１を乗客が通過した際に出力される安全装置の出力信号とに基づいて特定の情報を作成するようにしても良い。例えば、図４に示すＳ９において作成される特定の情報は、Ｓ６におけるサムネイル画像作成時に情報付加手段３１が取り込んだ乗かご１内の安全装置の動作信号が使用されることとし、情報付加手段３１は、サムネイル画像作成時に安全装置が動作しているかどうか、すなわち乗かご１の出入口を乗客が通過しているどうかを、サムネイル画像に乗客が映し出されているかどうかの判断基準として判別するようにする。この場合も上述したのと同様の効果を得ることができる。
【００５６】
また、本実施形態は、情報作成手段は、ドアスイッチ１２から受信したドア１１の開信号と、ドア１１が開いてから所定の時間が経過した時点における乗かご１内に乗客が乗車しているかどうかを検知する熱センサー等のパッシブセンサー又は超音波センサー等のアクティブセンサーの出力信号とに基づいて特定の情報を作成するようにしても良い。例えば、図４に示すＳ９において作成される特定の情報は、Ｓ６におけるサムネイル画像作成時に情報付加手段３１が取り込んだパッシブセンサー又はアクティブセンサーの出力信号が使用されることとし、情報付加手段３１は、サムネイル画像作成時にパッシブセンサー又はアクティブセンサーが動作しているかどうか、すなわち乗かご１内に乗客が進入・存在しているどうかを、サムネイル画像に乗客が映し出されているかどうかの判断基準として判別するようにする。この場合も上述したのと同様の効果を得ることができる。
【符号の説明】
【００５７】
１  乗かご
２  カメラ
４  画像表示手段（表示手段）
５  操作手段
１１  ドア
１２  ドアスイッチ（ドア開信号検知手段）
３１  情報付加手段
３２  サムネイル画像作成手段
３３  画像取り込み手段
３４  画像記録手段
３５  画像検索手段
３６  画像再生手段
【図１】
0005400020.tif 000002
【図２】
0005400020.tif 000003
【図３】
0005400020.tif 000004
【図４】
0005400020.tif 000005
【図５】
0005400020.tif 000006
【図６】
0005400020.tif 000007